(57)【要約】【課題】  蓄電手段の電圧を適切に制御しないと、立ち上げ時間が変動する。【解決手段】  電源から供給される電力の供給能力に関する情報を取得する取得手段と、前記電源から供給される電力の少なくとも一部を蓄電する蓄電手段と、前記蓄電手段の電圧制御を行う制御手段と、を備え、前記制御手段は、前記処理装置の待機状態において、前記取得手段により取得された前記供給能力に関する情報と、前記待機状態における前記蓄電手段の電圧と、に基づいて前記蓄電手段の電圧を制御する。【選択図】  図３
2018069617.tif 000002
【特許請求の範囲】
【請求項１】
電源から供給される電力により所定の処理を実行する処理装置であって、
前記電源から供給される電力の供給能力に関する情報を取得する取得手段と、
前記電源から供給される電力の少なくとも一部を蓄電する蓄電手段と、
前記蓄電手段の電圧制御を行う制御手段と、
を備え、
前記制御手段は、前記処理装置の待機状態において、前記取得手段により取得された前記供給能力に関する情報と、前記待機状態における前記蓄電手段の電圧と、に基づいて前記蓄電手段の電圧を制御することを特徴とする処理装置。
【請求項２】
前記制御手段は、前記待機状態において、前記蓄電手段の電圧が前記供給能力に関する情報に基づいて決定される所定の電圧値より高い場合、前記蓄電手段の電圧値を下げるよう制御することを特徴とする請求項１に記載の処理装置。
【請求項３】
前記制御手段は、前記待機状態において、前記供給能力に関する情報に基づいて決定される所定の電圧値となるよう前記蓄電手段の電圧値を制御することを特徴とする請求項１又は２に記載の処理装置。
【請求項４】
前記制御手段は、前記待機状態において、前記蓄電手段の電圧が前記供給能力に関する情報に基づいて決定される所定の電圧値より高い場合、前記電源からの電力が前記蓄電手段へ充電されないよう制御することを特徴とする請求項１乃至３のいずれか１項に記載の処理装置。
【請求項５】
前記制御手段は、前記待機状態において、前記蓄電手段の電圧が前記供給能力に関する情報に基づいて決定される所定の電圧値より低い場合、前記電源からの電力を前記蓄電手段に充電するよう制御することを特徴とする請求項１乃至４のいずれか１項に記載の処理装置。
【請求項６】
駆動手段と、
前記駆動手段の動作制御を行うための動作制御手段と、
を備え、
前記制御手段は、
前記駆動手段が動作中は、前記蓄電手段から前記駆動手段に電力を供給するよう制御し、
前記駆動手段が動作していない待機状態では、前記蓄電手段から前記動作制御手段に電力を供給するよう制御することを特徴とする請求項１乃至５のいずれか１項に記載の処理装置。
【請求項７】
駆動手段と、
前記駆動手段の動作制御を行うための動作制御手段と、
前記電源から電力が入力される入力手段と、
を備え、
前記電源から前記入力手段に電力が入力されている状態において、前記駆動手段が動作中の場合は、前記入力手段を介して前記電源から前記動作制御手段に電力が供給されることを特徴とする請求項１乃至６のいずれか１項に記載の処理装置。
【請求項８】
入力された電力を前記動作制御手段へ出力する電圧に変換する電圧変換部を備え、
前記制御手段は、前記待機状態において前記蓄電手段の電圧値を下げる場合に、前記電圧変換部を駆動するために必要な最小駆動電圧に基づき設定された電圧値より前記蓄電手段の電圧値が小さくならないように制御することを特徴とする請求項６又は７のいずれか１項に記載の処理装置。
【請求項９】
前記処理装置は、インターフェースを介して電力が供給され、
接続され得るインターフェースのうち最大の電力供給能力を有するインターフェースが接続された場合の入力電力と、前記待機状態における前記動作制御手段の消費電力と、に基づき、前記最小駆動電圧に基づき設定された電圧値から処理装置の動作開始に必要な電圧値となるまで前記蓄電手段を充電するために必要な立ち上げ時間を記憶する記憶手段と、
を備え、
前記制御手段は、前記記憶手段に記憶された前記立ち上げ時間で前記蓄電手段の電圧が前記動作開始に必要な電圧値まで達するよう、前記待機状態における前記蓄電手段の電圧値を制御することを特徴とする請求項８に記載の処理装置。
【請求項１０】
前記蓄電手段の電圧が待機時の電圧値から前記動作開始に必要な電圧値となるまでの時間を計測する計測手段を備え、
前記制御手段は、前記計測手段により計測された時間に基づき、前記前記所定の電圧値を決めることを特徴とする請求項９に記載の処理装置。
【請求項１１】
前記処理装置は、交流電源に接続可能であり、
前記取得手段は、前記交流電源から供給される電力に関する情報を取得し、
前記制御手段は、前記処理装置の待機状態において、前記取得手段により取得された前記供給能力に関する情報及び前記電力に関する情報と、前記待機状態における前記蓄電手段の電圧と、に基づいて前記蓄電手段の電圧を制御することを特徴とする請求項１乃至１０のいずれか１項に記載の処理装置。
【請求項１２】
前記処理装置は、インターフェースを介して電力が供給され、
前記取得手段は、前記供給能力に関する情報として、前記インターフェースの規格に基づく情報を取得することを特徴とする請求項１乃至１１のいずれか１項に記載の処理装置。
【請求項１３】
前記インターフェースの端子が接続可能な接続手段を備え、
前記接続手段は、電力供給能力が異なる複数の規格のインターフェースに対応可能であり、
前記取得手段は、前記供給能力に関する情報として、前記接続手段に接続されたインターフェースの規格に基づく情報を取得することを特徴とする請求項１２に記載の処理装置。
【請求項１４】
前記制御手段は、
第１のインターフェースを介して電力が供給される場合には、前記待機状態における前記蓄電手段の電圧を第１の電圧値になるように制御し、
前記第１のインターフェースより電力供給能力が高い第２のインターフェースを介して電力が供給される場合には、前記待機状態における前記蓄電手段の電圧を前記第１の電圧値よりも低い第２の電圧値になるように制御することを特徴とする請求項１２又は１３に記載の処理装置。
【請求項１５】
インターフェースを介して供給される電力により所定の処理を実行する処理装置であって、
前記インターフェースの端子が接続される接続手段と、
前記インターフェースを介して供給される電力の少なくとも一部を蓄電する蓄電手段と、
を備え、
前記接続手段に接続されるインターフェースの規格に応じて、前記処理装置の待機状態における前記蓄電手段の電圧が変更されることを特徴とする処理装置。
【請求項１６】
前記インターフェースの端子が接続される接続手段を備え、
前記接続手段は、電力供給能力が異なる複数の規格のインターフェースに対応可能であることを特徴とする請求項１５に記載の処理装置。
【請求項１７】
第１のインターフェースを介して電力が供給される場合には、前記待機状態における前記蓄電手段の電圧は第１の電圧値となり、
第１のインターフェースより電力供給能力が高い第２のインターフェースを介して電力が供給される場合には、前記待機状態における前記蓄電手段の電圧は、前記第１の電圧値よりも低い第２の電圧値になることを特徴とする請求項１５又は１６に記載の処理装置。
【請求項１８】
前記待機状態において、前記蓄電手段の電圧が前記インターフェースの規格に基づいて決定される所定の電圧値より高い場合、前記蓄電手段は電圧値を下げることを特徴とする請求項１５乃至１７のいずれか１項に記載の処理装置。
【請求項１９】
前記待機状態において、前記蓄電手段の電圧値は、前記インターフェースの規格に基づいて決定される所定の電圧値となることを特徴とする請求項１５乃至１８のいずれか１項に記載の処理装置。
【請求項２０】
前記待機状態において、前記蓄電手段の電圧が前記インターフェースの規格に基づいて決定される所定の電圧値より高い場合、前記蓄電手段は充電されないことを特徴とする請求項１５乃至１９のいずれか１項に記載の処理装置。
【請求項２１】
前記待機状態において、前記蓄電手段の電圧が前記インターフェースの規格に基づいて決定される所定の電圧値より低い場合、前記蓄電手段は充電されることを特徴とする請求項１５乃至２０のいずれか１項に記載の処理装置。
【請求項２２】
駆動手段と、
前記駆動手段の動作制御を行うための動作制御手段と、
を備え、
前記駆動手段が動作中は、前記蓄電手段から前記駆動手段に電力が供給され、
前記駆動手段が動作していない待機状態では、前記蓄電手段から前記動作制御手段に電力を供給されることを特徴とする請求項１５乃至２１のいずれか１項に記載の処理装置。
【請求項２３】
駆動手段と、
前記駆動手段の動作制御を行うための動作制御手段と、
を備え、
前記接続手段に前記インターフェースの端子が接続されている状態において、前記駆動手段が動作中の場合は、前記インターフェースから供給される電力が前記動作制御手段に供給されることを特徴とする請求項１５乃至２２のいずれか１項に記載の処理装置。
【請求項２４】
前記処理装置は、交流電源に接続可能であり、
前記処理装置の待機状態において、前記インターフェースの規格と、前記交流電源から供給される電力に関する情報と、前記待機状態における前記蓄電手段の電圧と、に基づいて前記蓄電手段の電圧が変更されることを特徴とする請求項１５乃至２３のいずれか１項に記載の処理装置。
【請求項２５】
前記インターフェースは、ＵＳＢであることを特徴とする請求項１２乃至２４のいずれか１項に記載の処理装置。
【請求項２６】
画像を形成するための記録ヘッドと画像を読み取る読取手段のうち少なくともいずれかを備えることを特徴とする請求項１乃至２５のいずれか１項に記載の処理装置。
【請求項２７】
電源から供給される電力の供給能力に関する情報を取得する取得手段と、
前記電源から供給される電力の少なくとも一部を蓄電する蓄電手段と、
を備え、前記電源から供給される電力により所定の処理を実行する処理装置の制御方法であって、
前記処理装置の待機状態において、前記取得手段により取得された前記供給能力に関する情報と、前記待機状態における前記蓄電手段の電圧と、に基づいて前記蓄電手段の電圧を制御することを特徴とする制御方法。
【請求項２８】
インターフェースを介して供給される電力の少なくとも一部を蓄電する蓄電手段と、
を備え、前記インターフェースを介して外部装置から供給される電力により所定の処理を実行する処理装置の制御方法であって、
前記接続手段に端子が接続されるインターフェースの規格に応じて、前記処理装置の待機状態における前記蓄電手段の電圧を変えることを特徴とする制御方法。
【発明の詳細な説明】
【技術分野】
【０００１】
本発明は、処理装置及びその制御方法に関する。
【背景技術】
【０００２】
紙等の記録媒体上に画像を形成する画像処理装置において、電気二重層キャパシタ（ＥＤＬＣ）等の蓄電手段を備えるものがある。このような画像処理装置では、定着器の温度制御用にメインヒータとサブヒータを設け、メインヒータは主電源から電力供給され、サブヒータはＥＤＬＣに蓄えた電力が供給される。画像処理装置が使用されていない待機時には、ＥＤＬＣを満充電しておき、動作時にはメインヒータとサブヒータ両方に電力供給して定着器温度を素早く立ち上げることを可能にしている。
【０００３】
一方、ＥＤＬＣは満充電状態で長時間保持すると寿命が短くなることが知られている。そのため、ＥＤＬＣの寿命を延ばすために、装置をあまり使用しない夜間や省エネモード時のようにサブヒータに電力を供給する必要がない時は、ＥＤＬＣの電圧を下げることが考えられている。特許文献１では、夜間や省エネモード時、ＥＤＬＣの出力を、ヒータの電源としてではなく、ヒータ以外の内部機器の電源として出力するように切り替えることで、ＥＤＬＣの電力を消費し、電圧を下げてＥＤＬＣの長寿命化を図っている。
【先行技術文献】
【特許文献】
【０００４】
【特許文献１】特開２００８−５８５００号公報
【発明の概要】
【発明が解決しようとする課題】
【０００５】
特許文献１では、ＥＤＬＣの電圧をどこまで下げるかについて言及されていない。しかしながら、ＥＤＬＣの電圧を下げすぎると、夜間明けや省エネモードからの復帰時において、立ち上げ時間（充電時間）が長くなる可能性がある。また、ＵＳＢ（ユニバーサル・シリアル・バス）等のインターフェースと接続可能な装置の場合、ＵＳＢを介してＰＣ等の外部装置から電力が入力されることがある。このような装置の場合は、様々な電力供給能力をもったＵＳＢが接続される可能性がある。ＵＳＢの種類としては、例えば、ＵＳＢ２．０、ＵＳＢ３．０、ＵＳＢ  Ｂａｔｔｅｒｙ  Ｃｈａｒｇｉｎｇ  Ｓｐｅｃｉｆｉｃａｔｉｏｎ等がある。つまり、ＵＳＢを介して供給される電力でＥＤＬＣの充電を行う装置の場合、電力供給能力が異なると立ち上げ時間も変動する。
【０００６】
以上の課題に鑑み、本発明は、適切な立ち上げ時間とするため、待機時における蓄電手段の電圧を適切に制御することができる処理装置及び制御方法を提供することを目的とする。
【課題を解決するための手段】
【０００７】
本発明の処理装置は、電源から供給される電力により所定の処理を実行する処理装置であって、前記電源から供給される電力の供給能力に関する情報を取得する取得手段と、前記電源から供給される電力の少なくとも一部を蓄電する蓄電手段と、前記蓄電手段の電圧制御を行う制御手段と、を備え、前記制御手段は、前記処理装置の待機状態において、前記取得手段により取得された前記供給能力に関する情報と、前記待機状態における前記蓄電手段の電圧と、に基づいて前記蓄電手段の電圧を制御する。
【０００８】
本発明の別の処理装置は、インターフェースを介して供給される電力により所定の処理を実行する処理装置であって、前記インターフェースの端子が接続される接続手段と、前記インターフェースを介して供給される電力の少なくとも一部を蓄電する蓄電手段と、を備え、前記接続手段に接続されるインターフェースの種類に応じて、前記処理装置の待機状態における前記蓄電手段の電圧が変更される。
【０００９】
本発明の制御方法は、電源から供給される電力の供給能力に関する情報を取得する取得手段と、前記電源から供給される電力の少なくとも一部を蓄電する蓄電手段と、を備え、前記電源から供給される電力により所定の処理を実行する処理装置の制御方法であって、前記処理装置の待機状態において、前記取得手段により取得された前記供給能力に関する情報と、前記待機状態における前記蓄電手段の電圧と、に基づいて前記蓄電手段の電圧を制御する。
【００１０】
本発明の別の制御方法は、インターフェースを介して供給される電力の少なくとも一部を蓄電する蓄電手段と、を備え、前記インターフェースを介して外部装置から供給される電力により所定の処理を実行する処理装置の制御方法であって、前記接続手段に端子が接続されるインターフェースの種類に応じて、前記処理装置の待機状態における前記蓄電手段の電圧を変える。
【発明の効果】
【００１１】
本発明により、待機時における蓄電手段の電圧が適切に制御されるため、最適な立ち上げ時間で装置を立ち上げることができる。
【図面の簡単な説明】
【００１２】
【図１】本発明の第１の実施形態に係わる画像処理装置の概略構成を示す模式図。
【図２】本発明の第１の実施形態に係わる画像処理装置の電源部の概略構成を示す模式図。
【図３】本発明の第１の実施形態に係わる画像処理装置が待機状態の時のＥＤＬＣ電圧ＶＴを決定する概念図。
【図４】本発明の第１の実施形態に係わる画像処理装置が待機状態の時のＥＤＬＣ電圧の制御フローチャート。
【図５】本発明の第１の実施形態に係わる画像処理装置が待機状態の時のＥＤＬＣ電力の流れを示す模式図。
【図６】本発明の第１の実施形態に係わる画像処理装置が待機状態の時のＥＤＬＣ電力の流れを示す模式図。
【図７】本発明の第１の実施形態に係わる画像処理装置のＥＤＬＣ電圧と駆動系負荷との関係を示す模式図。
【図８】本発明の第２の実施形態に係わる画像処理装置が待機状態の時のＥＤＬＣ電圧ＶＴを説明する概念図。
【図９】本発明の第２の実施形態に係わる画像処理装置の概略構成を示す模式図。
【図１０】本発明の第２の実施形態に係わる画像処理装置の待機時電圧ＶＴから動作開始電圧ＶＤまでの充電時間計測フローチャート。
【図１１】本発明の第２の実施形態に係わる画像処理装置が待機状態の時のＥＤＬＣ電圧の制御フローチャート。
【図１２】本発明の第３の実施形態に係わる画像処理装置の概略構成を示す模式図。
【図１３】本発明の第３の実施形態に係わる画像処理装置の電源部の概略構成を示す模式図。
【図１４】本発明の第３の実施形態に係わる画像処理装置が待機状態の時のＥＤＬＣ電圧の制御フローチャートの一例。
【図１５】本発明の第３の実施形態に係わる画像処理装置が待機状態の時のＥＤＬＣ電圧の制御フローチャートの別の一例。
【発明を実施するための形態】
【００１３】
以下、本発明の実施の形態を、図面を参照して詳細に説明する。なお、第１〜第３の実施形態においては、処理装置として印刷機能及び画像読み取り機能を有する画像処理装置の例を用いて説明するが、本発明はこれに限定されるものではなく、印刷機能だけでもよく画像読取機能だけでもよい。また、プロジェクタのような画像を投影する処理装置でもよく、スマートフォンやタブレット端末等の携帯端末やデジタルカメラ等のような所定の処理を行う処理装置にも適用可能である。
【００１４】
（第１の実施形態）
図１は、本発明の第１の実施形態に係わる画像処理装置１０１の概略機能構成を示す模式図である。画像処理装置１０１は、ＰＣ等の外部装置と、インターフェースであるＵＳＢ１０９を介して接続される。画像処理装置１０１は、ＵＳＢ１０９のケーブルの端子が接続されるＵＳＢポート１０２を備えており、複数の種類があるＵＳＢ規格に対応可能である。
【００１５】
メモリ１０４は画像処理装置１０１の制御を行うためのプログラムやデータを格納している記憶手段であり、ＲＯＭやＲＡＭにより構成される。操作表示部１０５は画像処理装置１０１の操作を行うためのスイッチや画像処理装置１０１の動作状態を表す液晶やＬＥＤ等の表示部を有する。システム制御部１０３は、外部装置とＵＳＢ１０９を介して通信を行い、また、画像処理装置１０１の各手段の動作制御を行う。システム制御部１０３は、ＣＰＵ、ＭＰＵ、ＡＳＩＣ等の１つ以上のプロセッサを備えており、このプロセッサにより複数の処理を実行する。システム制御部１０３は、メモリ１０４からプログラムやデータを読み出し、各種の処理や各手段の動作制御を実行する。例えば、システム制御部１０３は、操作表示部１０５の表示部への表示制御や、電源部１０８内の蓄電手段２０６（図２参照）の電圧制御を行うことができる。
【００１６】
プリンタ駆動部１０６は、例えばインクジェットプリンタの場合はインクを吐出する記録ヘッド、記録ヘッドを動かすためのモータ、インクを吐出するためのヒータ駆動回路、記録紙を搬送するためのモータ等を有する。スキャナ部１０７は、原稿を走査して光学的に読み取りデジタルデータに変換する画像読み取り部である。
【００１７】
電源部１０８はＵＳＢポート１０２に接続されたＵＳＢ１０９を介して外部装置から電力の供給を受け、画像処理装置１０１を動作させるのに必要な電圧Ｖｏ１、Ｖｏ２を生成する。電圧Ｖｏ１は、記録ヘッドやモータ等の駆動部を動作させるための動作制御部（システム系負荷）で使用され、電圧Ｖｏ２は、駆動部で使用される。具体的には、Ｖｏ１はシステム制御部１０３、メモリ１０４、操作表示部１０５等で使用される電圧であり、Ｖｏ２はプリンタ駆動部１０６とスキャナ部の原稿走査用モータで使用される。
【００１８】
図２は、電源部１０８の概略構成を表した模式図である。図２において、電源入力部２０１には、ＵＳＢポート１０２に接続されたＵＳＢ１０９を介して外部装置から電力が入力される。電源入力部２０１は、ＵＳＢ１０９より電力供給を受ける入力部であり、入力電流を制限する機能を有する。供給能力検知部２０２は、ＰＣ等の外部装置とＵＳＢ１０９を介して通信することにより、ＵＳＢポート１０２に接続されたＵＳＢ１０９の種類の規格に基づく情報や、供給可能な電力の規格に基づく情報を取得する。ＵＳＢ１０９の種類としては、例えば、ＵＳＢ２．０、ＵＳＢ３．０、ＵＳＢ  Ｂａｔｔｅｒｙ  Ｃｈａｒｇｉｎｇ  Ｓｐｅｃｉｆｉｃａｔｉｏｎ等がある。供給可能な電力の規格に基づく情報としては、ＵＳＢパワーデリバリと呼ばれる規格に基づくプロファイルの情報でもよい。ＵＳＢパワーデリバリでは、プロファイル１〜５の５つに分類されている。例えばプロファイル１では１０ｗの電力を供給することができ、プロファイル５では最大１００ｗの電力を供給することができる。
【００１９】
このＵＳＢの規格（ＵＳＢの種類の規格や供給可能な電力の規格）に基づく情報から、そのＵＳＢの電力の供給能力を識別することができる。なお、供給能力検知部２０２は、ＵＳＢの電力供給能力に関する情報が取得できればよいため、実際に電源入力部２０１に入力される電流や電力を直接検出してもよい。
【００２０】
供給能力検知部２０２は、取得した結果を保持し、電源入力部２０１に対して入力電流がそのＵＳＢの対応する規格内に収まるように制御する。また電力の供給能力に関する情報は、システム制御部１０３へ送信される。電源入力部２０１から出力された電流は、電圧変換部２０３と充電制御部２０５に供給される。
【００２１】
電圧変換部２０３は、供給された電力をシステム系負荷を駆動するための電圧に変換し出力する（Ｖｏ１）。この電圧Ｖｏ１は、システム系負荷２０４で消費される。充電制御部２０５は、電源入力部２０１から入力された電力を蓄電手段２０６へ充電するため充電部として機能するとともに、蓄電手段２０６に蓄えられた電力を電圧変換部２０３へ供給することも可能であり、双方向ＤＣ−ＤＣコンバータ等により構成される。つまり、充電制御部２０５は、蓄電手段２０６を充電するかどうかを切り替える切替手段として機能する。
【００２２】
蓄電手段２０６は、電力を蓄電可能な電気二重層キャパシタ（ＥＤＬＣ）である。ＥＤＬＣ単体の定格電圧は２．５Ｖの場合が多く、必要な電圧によってＥＤＬＣを複数個、直列に接続して使用してもよい。
【００２３】
電圧変換部２０７は、蓄電手段２０６の出力電力を駆動系負荷２０８で必要な電圧に変換し出力する（Ｖｏ２）。電圧検出部２０９は、蓄電手段２０６の出力電圧を検出しシステム制御部１０３へその検出結果に関する情報を送信する。システム制御部１０３はこの検出結果をモニタし、蓄電手段２０６の電圧と、供給能力検知部２０２より得られる電力の供給能力に関する情報と、を基に充電制御部２０５の制御を行うことにより、蓄電手段２０６の電圧制御を行う。なお、前述の通り、駆動系負荷２０８は、少なくとも1つ以上の駆動手段（プリンタ駆動部１０６やスキャナ部１０７の原稿走査用モータ等）を示す。また、システム系負荷２０４は、駆動部の動作を制御する少なくとも１つ以上の動作制御手段（システム制御部１０３、メモリ１０４、操作表示部１０５等）を示す。なお、スキャナ部１０７は、画像読取の際の画像処理や光学系の動作にはＶｏ１（又はＶｏ１から変換した電圧）を使用し、原稿走査用モータの動作についてはＶｏ２を使用するとよい。
【００２４】
次に、このような構成の画像処理装置１０１の動作について説明する。ＵＳＢポート１０２に外部装置との接続を行うＵＳＢ１０９が接続されると、ＵＳＢ１０９を介して電源入力部２０１に電力が入力され、電圧変換部２０３へ供給される。電圧変換部２０３は供給された電力をシステム負荷用の電圧に変換し電圧Ｖｏ１を出力する。Ｖｏ１によってシステム制御部１０３が起動される。
【００２５】
供給能力検知部２０２は、接続されたＵＳＢ１０９の電力供給能力を検知し、電源入力部２０１に対して入力電流がそのＵＳＢ１０９の規格で定められている供給能力内に収まるように制限する。検知されたＵＳＢ１０９の電力供給能力は、そのＵＳＢ１０９が接続されている間は保持される。ＵＳＢ１０９の供給能力内に制限された入力電流から、電圧変換部２０３へ供給された電流を差し引いた電流が、充電制御部２０５に供給される。充電制御部２０５からは蓄電手段２０６に電力が供給され、蓄電手段２０６が充電される。
【００２６】
蓄電手段２０６の電圧は、電圧検出部２０９によってモニタされており、その検出結果はシステム制御部１０３での充電制御に利用される。システム制御部１０３は、画像処理装置１０１が駆動系負荷を動かす予定のない待機モード（待機状態）か、駆動系負荷を動かす必要のある動作モードかを判断する。
【００２７】
そして、システム制御部１０３は、待機状態の場合は蓄電手段２０６の電圧を所定の電圧値となるよう制御する。動作モードと判断した場合は、システム制御部１０３は、蓄電手段２０６の電圧を所定の電圧値よりも高い電圧値となるよう制御する。電圧変換部２０７は、蓄電手段２０６に充電された電力を駆動系負荷用の電圧に変換してＶｏ２を出力する。
【００２８】
動作モードの場合に、蓄電手段２０６の電圧を高い値にするのは、蓄電手段に、より多くの電力を蓄えておき、急な負荷変動による電圧変動を平滑化するためである。この場合の蓄電手段２０６の電圧値は、蓄電手段の能力を十分引き出すため、ＥＤＬＣの場合はその定格電圧近くに設定するとよい。一方で待機状態の場合に蓄電手段２０６の電圧を動作モードの場合よりも低い電圧値とするのは、蓄電手段の長寿命化を実現するためである。さらに本実施形態では、待機状態の電圧を最適な電圧値（所定の電圧値）に制御することにより、動作モード移行時の立ち上げ時間の最適化を実現することができる。
【００２９】
図３を用いて、以下に待機時における蓄電手段２０６の待機電圧の決定方法について説明する。図３は、待機時の蓄電手段２０６の電圧を決定するための概念を表した模式図である。図３（Ａ）は、接続部であるＵＳＢポート１０２に接続が可能なＵＳＢの種類の中で、最大の電力供給能力を持つＵＳＢが接続された場合の蓄電手段２０６の電圧の変化を表す模式図である。図３（Ｂ）は、ＵＳＢ規格のうち供給能力が低い種類のＵＳＢが接続された場合の電圧の変化を表す模式図である。なお、待機時の蓄電手段２０６の電圧を待機時電圧ＶＴ、待機状態から動作モードへ移行し、画像処理装置１０１が動作可能になった時の蓄電手段２０６の電圧を動作開始電圧ＶＤと呼ぶこととする。
【００３０】
最大の供給能力をもつＵＳＢとそれよりも低い供給能力をもつＵＳＢとでは、電流の供給能力が大きいほうがより多くの電荷を充電できる。つまり、待機状態から動作可能状態まで同じ立ち上げ時間Ｔ０で充電する場合には、供給能力の高いＵＳＢのほうが待機時電圧ＶＴと動作開始電圧ＶＤとの差を大きく設定することができる。動作開始電圧ＶＤは固定であるため、ＵＳＢの電力供給能力が大きい時は、待機時電圧ＶＴは低く設定することができる（図３（Ａ））。一方、ＵＳＢの電力供給能力が小さい場合は、同じ立ち上げ時間Ｔ０での供給量が少ないため待機時電圧ＶＴと動作開始電圧ＶＤの差が小さくなる。よって、動作開始電圧ＶＤは固定であるため、待機時電圧ＶＴは高く設定することになる（図３（Ｂ））。
【００３１】
以上より、接続されたＵＳＢの供給能力が最大の場合の蓄電手段２０６の待機時電圧ＶＴに基づき、立ち上げ時間Ｔ０を算出して固定値とすることで、立ち上げ時間Ｔ０を最小にすることができる。そして他の供給能力を有する種類のＵＳＢが接続された時も、同じ立ち上げ時間Ｔ０とすることにより、この立ち上げ時間Ｔ０で充電可能な待機時電圧ＶＴを算出することができる。ここで、供給能力が最大のＵＳＢの場合に設定できる待機時電圧ＶＴの最小値ＶＴ＿ｍｉｎについて説明する。画像処理装置１０１が動作モードから待機状態へ移行する際、通常、蓄電手段２０６の電圧は待機時電圧ＶＴより大きい。従って、蓄電手段２０６の電圧を待機時電圧ＶＴまで下げるために、蓄電手段２０６の電力をシステム系負荷２０４へ供給する制御が行われる。そのため蓄電手段２０６の電圧はシステム系負荷用の電圧変換部２０３の最小駆動電圧Ｖ０を下回らないようにする必要がある。最小駆動電圧Ｖ０とは、電圧変換部２０３がシステム系負荷へ電力供給するのに必要な最小入力電圧値をいう。従って、ばらつき等を考え、マージンを加えたＶＴ＿ｍｉｎ（＝Ｖ０＋α）が、設定可能な蓄電手段２０６の待機時電圧ＶＴの最小値となる。
【００３２】
以下において、画像処理装置１０１が待機状態となった場合の動作について詳細に説明する。
【００３３】
待機状態が検出されるタイミングとしては、ＵＳＢ１０９が接続されて外部装置からの電力供給が始まった時（システム制御部１０３の起動後）と動作モードが終了して次の動作予定がない時が予想される。蓄電手段２０６の電圧を前述した待機時電圧ＶＴにするためには、前者は蓄電手段２０６を充電し、後者は蓄電手段２０６を放電するというような電圧の制御が必要となる。
【００３４】
図４は、待機状態検知時における蓄電手段２０６の電圧の制御フローを示す。システム制御部１０３は、画像処理装置１０１の待機状態を検知すると（Ｓ４０１）、まず待機時の蓄電手段２０６の電圧ＶＴの算出を行う（Ｓ４０２〜Ｓ４０５）。その後、現在の蓄電手段２０６電圧を検出して（Ｓ４０６）、検出した値が待機時電圧ＶＴより大きいか小さいか判定する（Ｓ４０７、Ｓ４１２）。大きい場合は蓄電手段２０６電圧を下げるため放電を行い（Ｓ４０８〜Ｓ４１１）、小さい場合は充電を行う（Ｓ４１３）ことにより、蓄電手段２０６の電圧が待機時電圧ＶＴになるように制御することができる。以下、各ステップについて詳細に説明する。
【００３５】
Ｓ４０１で待機状態が検知されると、蓄電手段２０６の待機時電圧ＶＴを算出するために、Ｓ４０２においてシステム制御部１０３は、待機時にシステム系負荷２０４で消費される電力Ｐｓｙｓを取得する。これは、蓄電手段２０６の充電に使われる電力が、ＵＳＢ１０９から供給される電力からシステム系負荷で消費される電力を差し引いた電力で行われるからである。待機状態ではシステム系負荷２０４の消費電力はほぼ一定値となるため、Ｐｓｙｓは予めメモリに記憶しておくことができる。あるいは、電圧変換部２０３の出力側に電流検知回路（不図示）を追加して、現在のシステム系負荷による消費電流を検出して消費電力を算出することも可能である。
【００３６】
Ｓ４０３において、蓄電手段２０６をＶＴ＿ｍｉｎから動作開始電圧ＶＤまで充電するのに必要な時間Ｔ０を算出する。ここで、画像処理装置１０１に接続が予想されるＵＳＢの中で最大の供給能力を持ったＵＳＢが接続された場合を想定し、その入力電力をＰｉｎ＿ＭＡＸとする。蓄電手段２０６の充電に使用される電力はＰｉｎ＿ＭＡＸからＰｓｙｓを差し引いた電力となる。よって、この電力（Ｐｉｎ＿ＭＡＸ−Ｐｓｙｓ）で、蓄電手段２０６をＶＴ＿ｍｉｎから動作開始電圧ＶＤまで充電するのに必要な時間Ｔ０が算出する。そして算出された結果を蓄電手段２０６の立ち上げ時間として保持する。
【００３７】
次に、Ｓ４０４において、現在接続されているＵＳＢの電力供給能力としてＵＳＢの規格に基づく情報を取得し、供給電力Ｐｉｎを取得する。このＰｉｎは、前述したとおり供給能力検知部２０２でＵＳＢが接続される毎に検知し、保持されている。
【００３８】
そしてＳ４０５において、現在接続されているＵＳＢで蓄電手段２０６を充電した場合に、立ち上げ時間Ｔ０で動作開始電圧ＶＤまで充電できる待機時電圧ＶＴを算出する。現在、蓄電手段２０６の充電に使用される電力は、現在の供給電力Ｐｉｎからシステム負荷による消費電力Ｐｓｙｓを差し引いた電力である。よってこの電力（Ｐｉｎ−Ｐｓｙｓ）で、蓄電手段２０６を充電した場合に、立ち上げ時間Ｔ０で動作開始電圧ＶＤまで充電できる待機時電圧ＶＴを算出する。
【００３９】
ここで、待機時電圧ＶＴの算出において、もし接続されたＵＳＢの供給電力が想定以上であった場合は、算出結果がＶＴ＿ｍｉｎより小さくなり、システム系負荷２０４に電力が供給できなくなってしまう可能性がある。従って、想定以上の供給能力を持ったＵＳＢが入力された場合は、ＶＴ＝ＶＴ＿ｍｉｎとするとよい。また、待機時のシステム系負荷２０４の電力Ｐｓｙｓがほぼ一定値であり、予めわかっている場合は、立ち上げ時間Ｔ０も予め算出できる。よって、ＵＳＢの電力供給能力毎の蓄電手段２０６の待機時電圧ＶＴの算出結果をテーブルとして予め記憶しておくことも可能である。この場合は、現在接続されているＵＳＢの電力供給能力Ｐｉｎを取得した後、Ｐｉｎに対するＶＴ値をテーブルから読み出すことによってＶＴ値を取得することができる。
【００４０】
Ｓ４０６において、システム制御部１０３は、電圧検出部２０９によって現在の蓄電手段２０６の電圧の検出を行う。そして、Ｓ４０７で、検出の結果、蓄電手段２０６の電圧が待機時電圧ＶＴより大きいか判定する。
【００４１】
蓄電手段２０６の電圧が待機時電圧ＶＴより大きい場合、Ｓ４０８において充電制御部２０５により蓄電手段２０６の充電をＯＦＦする。
【００４２】
Ｓ４０９では、さらに電源入力部２０１により、ＵＳＢからの電流入力をＯＦＦにし、双方向ＤＣ−ＤＣコンバータである充電制御部２０５を逆方向に動作させ、蓄電手段２０６の電力を電圧変換部２０３経由でシステム系負荷２０４に供給する。図５に蓄電手段２０６の電力をシステム系負荷２０４に供給する様子を示す。これにより蓄電手段２０６の電力が消費され、蓄電手段２０６の電圧を待機時電圧ＶＴまで低下させる（Ｓ４１０）。
【００４３】
蓄電手段２０６の電圧が待機時電圧ＶＴまで低下すると、Ｓ４１１において蓄電手段２０６の放電をＯＦＦするため、システム制御部１０３は充電制御部２０５を順方向に動作させる。さらに、電源入力部２０１によりＵＳＢからの電流入力をＯＮにする。これにより、ＵＳＢからの電力でシステム系負荷２０４を駆動するようにする。図６に電源入力部２０１からシステム系負荷２０４に電力が供給される様子を示す。なお、図６では、電源入力部２０１からの電力は充電制御部２０５へも供給されている。これは、待機状態において蓄電手段２０６が自然放電した場合に充電できるようにするためである。
【００４４】
このように、蓄電手段２０６の電圧を待機時電圧ＶＴとなるまで低下させる際、蓄電手段２０６の電力をシステム系負荷２０４で消費させるため、蓄電手段２０６の電力を無駄にせず、また入力電力が遮断されるため省エネになる。
【００４５】
また、Ｓ４１２において現在の蓄電手段２０６の電圧の検出結果が、待機時電圧ＶＴより小さいか判定する。蓄電手段２０６の電圧が待機時電圧ＶＴより小さい場合は、Ｓ４１３により蓄電手段２０６の電圧を待機時電圧ＶＴまで充電し、充電をＯＦＦする。
【００４６】
図４のフローでは、待機状態が検知された場合、蓄電手段２０６の電圧を待機時電圧ＶＴになるまで充電、または放電して、待機時電圧ＶＴまで到達した後は充電、または放電をＯＦＦにしている。これは蓄電手段２０６の自然放電では電圧はあまり下がらないためである。ただし、自然放電で電圧が下がった場合は、ＶＴを維持するために蓄電手段２０６の充電を行ってＶＴを維持することが可能である。
【００４７】
図７を用いて、蓄電手段２０６の電圧が画像処理装置の動作によってどのように変化するか説明する。図７は、蓄電手段２０６電圧と駆動系負荷２０８との関係を説明するための模式図である。
【００４８】
画像処理装置１０１のＵＳＢポート１０２に外部装置に繋がれたＵＳＢが接続されると、電源入力部２０１〜電圧変換部２０３を経てシステム制御部１０３に電力が供給され画像処理装置１０１が起動する。同時にＵＳＢの供給能力が検知される。システム制御部１０３は、待機状態を検知すると蓄電手段２０６待機時電圧ＶＴを算出し、ＵＳＢの規格に応じて制限された入力電流からシステム系負荷での消費電流を差し引かれた電流で蓄電手段２０６の充電を開始する。それにより蓄電手段２０６の電圧が上昇する（図７中のｔ１）。
【００４９】
蓄電手段２０６の電圧は電圧検出部２０９によってモニタされており、蓄電手段２０６が待機時電圧ＶＴまで充電される、システム制御部１０３は充電制御部２０５により蓄電手段２０６の充電をＯＦＦする（図７中のｔ２）。
【００５０】
画像処理装置１０１が操作表示部１０５や外部装置からの指示により動作モード（プリント動作やスキャナ動作等）に移行すると、蓄電手段２０６は待機時電圧ＶＴから動作開始電圧ＶＤまで充電される（図７中のｔ３）。同時に電圧変換部２０７がＯＮになり、駆動系負荷２０８で必要な電源Ｖｏ２が出力される。
【００５１】
蓄電手段２０６の電圧が動作開始電圧ＶＤに達すると、画像処理装置１０１の駆動系負荷２０８の動作が開始され、駆動系負荷２０８での消費が開始される。蓄電手段２０６の電圧は駆動系負荷２０８での消費が開始されると蓄電手段２０６電圧が下がり始める（図７中のｔ４）。
【００５２】
システム制御部１０３は、電圧検出部２０９で蓄電手段２０６の電圧をモニタし、蓄電手段２０６の電圧が下がり始めると蓄電手段２０６の充電を再開する。蓄電手段２０６に充電される電力は、制限された入力電力からシステム系負荷で消費される電力を差し引いた分となり、充電電力量と駆動系負荷で消費される電力量によって蓄電手段２０６の電圧は変動する（図７中の「駆動系負荷動作中」）。
【００５３】
画像処理装置１０１が動作を終了し、次の動作待ち状態（待機状態）になった時、蓄電手段２０６の充電を止め、蓄電手段２０６の電圧を待機時電圧ＶＴまで放電する（図７中のｔ５）。これにより蓄電手段２０６の長寿命化を実現することができる。
【００５４】
以上説明したように、本実施形態によれば、立ち上げ時間を適切に保ちつつ、ＵＳＢの電力供給能力によって待機時の蓄電手段２０６の電圧を変えるため、蓄電手段２０６の立ち上げ時間と寿命改善の両方の最適化を図ることができる。つまり、ＵＳＢの規格に基づく情報に応じて、蓄電手段２０６の待機時における電圧が変更される。
【００５５】
また、上記説明では、最大供給能力を有するＵＳＢが入力された時、ＶＴ＝ＶＴ＿ｍｉｎとし、Ｔ０を決定しているが、感覚的に遅いと感じない立ち上げ時間Ｔ０を先に決めておくことも可能である。つまり、適切なＴ０を設定しておき、接続されたＵＳＢの供給能力から、立ち上げ時間Ｔ０内に動作開始電圧ＶＤまで充電できる充電開始電圧（蓄電手段２０６の待機電圧ＶＴ）を算出するとよい。ただし、ＶＴ＜ＶＴ＿ｍｉｎとなる場合はＶＴ＝ＶＴ＿ｍｉｎとするとよい。
【００５６】
また、上記説明では、待機時において、蓄電手段２０６の電力をシステム系負荷２０４に供給して消費することで蓄電手段２０６の電圧を下げている。ただし、蓄電手段２０６の電圧をもっと速く下げたい場合は、蓄電手段２０６の電力を駆動系負荷２０８へも供給し、モータを回すなどして並行して消費を行うことも可能である。
【００５７】
（第２の実施形態）
第２の実施形態では、蓄電手段２０６の劣化を考慮し、待機時電圧ＶＴを補正する例について説明する。蓄電手段２０６は寿命低下を軽減する工夫を行っていても、使用し続けることで劣化が起こり、蓄電手段２０６の静電容量が低下することが考えられる。静電容量が低下すると、蓄電手段２０６の待機時電圧ＶＴから動作開始電圧ＶＤへ充電するのに要する時間が短くなる。これにより立ち上げ時間Ｔ０と蓄電手段２０６の待機時電圧ＶＴの設定に影響を与える。これを補正する方法を、第２の実施形態として説明する。なお、第１の実施形態と共通する部分は説明を省略する。
【００５８】
図８は第２の実施形態の概念を説明する模式図である。現在接続されているＵＳＢの供給電力がＰｉｎの時、第１の実施形態で説明した方法で算出した蓄電手段２０６の待機時電圧をＶＴ１とする。蓄電手段２０６の劣化により静電容量が低下すると、蓄電手段２０６の待機時電圧ＶＴ１から動作開始電圧ＶＤまで蓄電手段２０６を充電する際、充電時間が立ち上げ時間Ｔ０より短いＴ１となる（図８（Ａ）参照）。蓄電手段２０６の待機時電圧ＶＴ１から動作開始電圧ＶＤへの充電速度が速くなったため、立ち上げ時間を、蓄電手段２０６が劣化していない時と同じ立ち上げ時間Ｔ０に保つように待機時の蓄電手段２０６の電圧ＶＴを補正する。この補正によりＶＴ１より低いＶＴ２が算出される。（図８（Ｂ）参照）ただし、ＶＴ＜ＶＴ＿ｍｉｎとなった場合はＶＴ＝ＶＴ＿ｍｉｎとするとよい。
【００５９】
このように、蓄電手段２０６が劣化して、待機時電圧ＶＴから動作開始電圧ＶＤまで充電にかかる時間が短くなったとしても、立ち上げ時間Ｔ０は蓄電手段２０６が劣化していない場合と同じ固定時間として立ち上げる。これにより、待機時電圧をさらに下げることができ、蓄電手段２０６の長寿命化に貢献できる。
【００６０】
図９に本発明の第二の実施形態に係わる画像処理装置の概略ブロック図を示す。図９では、第１の実施形態のブロック図（図１）に対して、タイマ９０１が追加されている。その他の各手段は図１と同じであるため説明を省略する。画像処理装置１０１は、操作表示部１０５や外部装置からの指示により動作モード（プリント動作やスキャナ動作等）に移行すると、蓄電手段２０６は待機時電圧ＶＴから動作開始電圧ＶＤまで充電される。その充電時間をタイマ９０１で計測することで、システム制御部１０３は蓄電手段２０６の充電時間が短くなっていないか、すなわち蓄電手段２０６が劣化していないかを判定することができる。
【００６１】
図１０に蓄電手段２０６の待機時電圧ＶＴから動作開始電圧ＶＤまでの充電時間の計測フローを示す。Ｔ１は蓄電手段２０６が待機時電圧ＶＴから動作開始電圧ＶＤまで実際に充電するのにかかる充電時間である。Ｓ１００１においてシステム制御部１０３は、蓄電手段２０６が劣化していない場合の立ち上げ時間Ｔ０を初期値に設定する（Ｓ１００１）。画像処理装置１０１が動作モードに移行する毎に蓄電手段２０６が待機時電圧ＶＴから動作開始電圧ＶＤに充電される時間をタイマ９０１で計測し、メモリに記憶しておく（Ｓ１００３）。
【００６２】
計測した回数が所定回数に達すると、システム制御部１０３はメモリに記憶された計測結果から平均値Ｔ１’を算出し（Ｓ１００５）、計測回数をリセットする（Ｓ１００６）。そして、計測結果の平均値Ｔ１’と充電時間Ｔ１とを比較する（Ｓ１１０４）。比較した結果、Ｔ１’が充電時間Ｔ１より小さかった場合、システム制御部１０３は蓄電手段２０６が劣化していると判断し、充電時間Ｔ１を計測結果の平均値Ｔ１’の値に更新する。充電時間の計測は以後も行われ、計測された充電時間の平均値から蓄電手段２０６が劣化していると判断される度にシステム制御部１０３は充電時間Ｔ１の更新を行う。
【００６３】
図１１は第２の実施形態における蓄電手段２０６の待機時電圧ＶＴの決定方法を示すフローチャートである。Ｓ４０１〜Ｓ４０５は図４で示した第１の実施形態のステップと同じであるため説明を省略する。第２の実施形態では、Ｓ４０５までのステップにより第１の実施形態と同様に待機時電圧ＶＴを算出するが、Ｓ１１０１が追加されている。すなわち、Ｓ１１０１により、充電時間Ｔ１として、計測された蓄電手段２０６の充電時間をメモリから読み出し、図８（Ｂ）で説明したように、立ち上げ時間Ｔ０を保つように待機時電圧ＶＴを補正する。Ｓ４０６以降のステップも図４で説明したステップと同様であるため説明を省略する。
【００６４】
このように、本実施形態では、蓄電手段２０６の劣化を判断することにより、待機時の蓄電手段２０６の電圧を下げるように補正されるため、蓄電手段２０６の寿命向上に貢献することができる。
【００６５】
（第３の実施形態）
第１及び第２の実施形態の画像処理装置は、電力の入力はＵＳＢのみであったが、第３の実施形態では交流電源（ＡＣ電源）にも接続可能であり、ＡＣ電源からの入力も可能な画像処理装置について説明する。なお、第１及び第２の実施形態と共通する部分は説明を省略する。
【００６６】
図１２はＡＣ電源が入力可能な画像処理装置１０１を概略を示す模式図である。本実施形態の画像処理装置１０１には、コンセントを介してＡＣ電源からの電力が電源部１２０１に入力される。その他の各手段は第１の実施形態と同様であるため説明を省略する。
【００６７】
図１３は電源部１２０１の概略構成を表す模式図である。図１３において、ＡＣ／ＤＣ変換部１３０１はＡＣ電圧を直流電圧（ＤＣ電圧）に変換する回路である。ＤＣ出力はＵＳＢと同じ電圧が出力され、システム制御部１０３からの指示により、出力のＯＮ／ＯＦＦ制御を行うことができる。
【００６８】
出力ＯＮ制御時に、ＡＣ／ＤＣ変換部１３０１から出力されているかを出力検出部１３０２が検出する。ＡＣ／ＤＣ変換部１３０１の出力能力（Ｐｄｃ）は予め決まっており、メモリ１０４に記憶しておくことができる。ＡＣ／ＤＣ変換部１３０１の出力は、電源入力部２０１の出力と合成され、電圧変換部２０３と充電制御部２０５へ供給される。その他は、第１の実施形態の図２で説明したのと同じであるため説明を省略する。
【００６９】
第３の実施形態では、画像処理装置１０１の電力供給は、ＵＳＢ１０９のみから給電する場合と、ＡＣ電源のみから給電する場合、ＵＳＢ１０９とＡＣ電源の両方から給電する場合の３通りがある。ここで、蓄電手段２０６の待機時電圧ＶＴの算出に必要な立ち上げ時間Ｔ０の設定において、ＵＳＢ各種とＡＣ電源の中から最大供給能力のものを利用するパターン（１）と、ＵＳＢ１０９とＡＣ電源の同時接続の中で最大供給能力のものを利用するパターン（２）とが考えられる。パターン（１）では、ＵＳＢ１０９とＡＣ電源の同時接続の場合は必ずＶＴ＝ＶＴ＿ｍｉｎとなるので、寿命優先のモードである。パターン（２）では、同時接続の中でも最大の供給能力で立ち上げ時間Ｔ０を決定しているので、立ち上げ時間の速い、立ち上げ時間優先モードとなる。
【００７０】
図１４は、第３の実施形態における、蓄電手段２０６の待機時電圧ＶＴの決定方法の一例を示したフローチャートであり、パターン（１）の場合を示す。図１５は、第３の実施形態における、蓄電手段２０６の待機時電圧ＶＴの決定方法の別の一例を示したフローチャートであり、パターン（２）の場合を示す。図１４におけるＳ１４０１〜Ｓ１４０３以外のステップは図４を用いて説明したステップと同様であり、図１５におけるＳ１５０１以外のステップは図４及び図１４を用いて説明したステップと同様であるため、本実施形態特有の部分以外の説明を省略する。
【００７１】
図１４の場合、立ち上げ時間Ｔ０の算出は、Ｓ１４０１に示すように、接続し得る最大供給能力を持つＵＳＢからの供給電力Ｐｉｎ＿ＭＡＸと、ＡＣ／ＤＣ変換部１３０１の出力電力Ｐｄｃのどちらか大きいほうの電力を用いる。そして、このどちらか大きいほうの電力を用いて待機時電圧がＶＴ＿ｍｉｎとなるように算出される。
【００７２】
蓄電手段２０６の充電に使用される電力は、Ｐｉｎ＿ＭＡＸかＰｄｃの大きい方からＰｓｙｓを差し引いた電力となる。この電力（Ｐｉｎ＿ＭＡＸ−Ｐｓｙｓ、又はＰｄｃ−Ｐｓｙｓ）でＶＴ＿ｍｉｎから動作電圧ＶＤまで充電するのに必要な時間がＴ０となり、この時間がメモリに記憶される。Ｓ４０４では現在接続されているＵＳＢの供給能力を基に供給電力Ｐｉｎを取得する。もしＵＳＢが接続されていない場合はＰｉｎ＝０となる。
【００７３】
そして、Ｓ１４０２においてＡＣ／ＤＣ変換部１３０１からの電力供給の有無を検出する。ＡＣ／ＤＣ変換部１３０１からの電力供給が有る場合は、Ｓ１４０３においてＰｉｎとＰｄｃを加えた電力からＰｓｙｓを差し引いた電力を基にＶＴを算出する。ＡＣ／ＤＣ変換部１３０１からの電力供給が無い場合は、Ｓ４０５においてＰｉｎからＰｓｙｓを差し引いた電力を基にＶＴを算出する。
【００７４】
もし、ＵＳＢとＡＣ電源の両方から給電されていた場合は、算出されたＶＴはＶＴ＜ＶＴ＿ｍｉｎとなるので、その場合は第１の実施形態でも述べたようにＶＴ＝ＶＴ＿ｍｉｎとして処理する。その後のフローは第１の実施形態と同じである。
【００７５】
図１５の場合、立ち上げ時間Ｔ０の算出は、Ｓ１５０１に示すように、接続し得る最大供給能力のＵＳＢとＡＣ電源の両方から給電されている場合に、待機時電圧がＶＴ＿ｍｉｎとなるようにして算出される。
【００７６】
蓄電手段２０６の充電に使用される電力は、Ｐｉｎ＿ＭＡＸとＰｄｃを加えた電力からＰｓｙｓを差し引いた電力となる。この電力（Ｐｉｎ＿ＭＡＸ＋Ｐｄｃ−Ｐｓｙｓ）でＶＴ＿ｍｉｎから動作電圧ＶＤまで充電するのに必要な時間がＴ０となり、この時間がメモリに記憶される。その他のフローは図１４と同じである。
【００７７】
以上説明したように、本実施形態では、電源の入力がＵＳＢとＡＣ電源の複数あった場合でも、立ち上げ時間Ｔ０と蓄電手段２０６の待機時電圧ＶＴを最適に設定することが可能となる。
【００７８】
（その他の実施形態）
第１〜第３の実施形態は、以下の処理を実行することによっても実現される。すなわち、上述した実施形態のシステム制御部１０３の機能を実現するソフトウェア（プログラム）を、ネットワーク又は各種記憶媒体を介してシステム或いは装置に供給し、そのシステム或いは装置のコンピュータ（ＣＰＵやＭＰＵ等）がプログラムを読み出して実行する処理である。また、プログラムは１つのコンピュータで実行させても、複数のコンピュータを連動させて実行させるようにしてもよい。また、上記した処理の全てをソフトウェアで実現する必要はなく、一部又は全部をハードウェアによって実現するようにしてもよい。
【符号の説明】
【００７９】
１０１  画像処理装置
１０２  ＵＳＢポート
１０３  システム制御部
１０４  メモリ
１０５  操作表示部
１０６  プリンタ駆動部
１０７  スキャナ部
１０８  電源部
１０９  ＵＳＢ
２０１  電源入力部
２０２  供給能力検知部
２０３  電圧変換部
２０４  システム系負荷
２０５  充電制御部
２０６  蓄電手段
２０７  電圧変換部
２０８  駆動系負荷
２０９  電圧検出部
９０１  タイマ
１２０１  電源部（ＡＣ入力有り）
１３０１  ＡＣ／ＤＣ変換部
１３０２  出力検出部
【図１】
2018069617.tif 000003
【図２】
2018069617.tif 000004
【図３】
2018069617.tif 000005
【図４】
2018069617.tif 000006
【図５】
2018069617.tif 000007
【図６】
2018069617.tif 000008
【図７】
2018069617.tif 000009
【図８】
2018069617.tif 000010
【図９】
2018069617.tif 000011
【図１０】
2018069617.tif 000012
【図１１】
2018069617.tif 000013
【図１２】
2018069617.tif 000014
【図１３】
2018069617.tif 000015
【図１４】
2018069617.tif 000016
【図１５】
2018069617.tif 000017